(57)【要約】【課題】簡単な制御構成でオーバーシュートを防止する。【解決手段】本発明に係るインクジェット記録装置１は、インクを吐出して記録媒体に画像を記録する記録ヘッド１１〜１４と、電力の供給を受けて発熱して記録ヘッド１１〜１４中のインクを加熱するヒータ１１ｂ〜１４ｂと、記録ヘッド１１〜１４がインクを吐出しない待機中又は非記録中の各時間帯で、記録ヘッド１１〜１４中のインクの温度を設定温度に維持するための所定電力をヒータ１１ｂ〜１４ｂに供給し、前記待機中又は非記録中の各時間帯から記録ヘッド１１〜１４がインクを吐出する記録中の時間帯に移行する直前で、前記所定電力より低い電力をヒータ１１ｂ〜１４ｂに供給する制御装置２０とを、備えている。【選択図】図２
2006150650.tif 000002
【特許請求の範囲】
【請求項１】
インクを吐出して記録媒体に画像を記録する記録ヘッドと、
電力の供給を受けて発熱して前記記録ヘッド中のインクを加熱するヒータと、
前記記録ヘッドがインクを吐出しない待機中又は非記録中の各時間帯で、前記記録ヘッド中のインクの温度を設定温度に維持するための所定電力を前記ヒータに供給し、前記待機中又は非記録中の各時間帯から前記記録ヘッドがインクを吐出する記録中の時間帯に移行する直前で、前記所定電力より低い電力を前記ヒータに供給する制御装置と、
を備えるインクジェット記録装置。
【請求項２】
請求項１に記載のインクジェット記録装置において、
前記制御装置が、
前記記録中の時間帯で、前記所定電力より低い電力を変動させずに前記ヒータに供給し続けることを特徴とするインクジェット記録装置。
【請求項３】
インクを吐出して記録媒体に画像を記録する記録ヘッドと、
電力の供給を受けて発熱して前記記録ヘッド中のインクを加熱するヒータと、
前記記録ヘッドがインクを吐出しない待機中又は非記録中の各時間帯で、前記記録ヘッド中のインクの温度を設定温度に維持するための所定電力を前記ヒータに供給し、前記待機中又は非記録中の各時間帯から前記記録ヘッドがインクを吐出する記録中の時間帯に移行する直前で、前記所定電力の供給を停止して前記ヒータには電力を供給しない制御装置と、
を備えるインクジェット記録装置。
【請求項４】
請求項３に記載のインクジェット記録装置において、
前記制御装置が、
前記記録中の時間帯で、前記ヒータへの前記所定電力の供給を停止し続けることを特徴とするインクジェット記録装置。
【請求項５】
請求項１〜４のいずれか一項に記載のインクジェット記録装置において、
前記インクが、紫外線の被照射で硬化するカチオン重合系インクであることを特徴とするインクジェット記録装置。
【請求項６】
インクを吐出して記録媒体に画像を記録する記録ヘッドと、電力の供給を受けて発熱して前記記録ヘッド中のインクを加熱するヒータとを、用いて前記記録ヘッド中のインクの温度を設定温度に維持するインクジェット記録方法であって、
前記記録ヘッドがインクを吐出しない待機中又は非記録中の各時間帯で、前記記録ヘッド中のインクの温度を設定温度に維持するための所定電力を前記ヒータに供給し、前記待機中又は非記録中の各時間帯から前記記録ヘッドがインクを吐出する記録中の時間帯に移行する直前で、前記所定電力より低い電力を前記ヒータに供給することを特徴とするインクジェット記録方法。
【請求項７】
請求項６に記載のインクジェット記録方法において、
前記記録中の時間帯で、前記所定電力より低い電力を変動させずに前記ヒータに供給し続けることを特徴とするインクジェット記録方法。
【請求項８】
インクを吐出して記録媒体に画像を記録する記録ヘッドと、電力の供給を受けて発熱して前記記録ヘッド中のインクを加熱するヒータとを、用いて前記記録ヘッド中のインクの温度を設定温度に維持するインクジェット記録方法であって、
前記記録ヘッドがインクを吐出しない待機中又は非記録中の各時間帯で、前記記録ヘッド中のインクの温度を設定温度に維持するための所定電力を前記ヒータに供給し、前記待機中又は非記録中の各時間帯から前記記録ヘッドがインクを吐出する記録中の時間帯に移行する直前で、前記所定電力の供給を停止して前記ヒータには電力を供給しないことを特徴とするインクジェット記録方法。
【請求項９】
請求項８に記載のインクジェット記録方法において、
前記記録中の時間帯で、前記ヒータへの前記所定電力の供給を停止し続けることを特徴とするインクジェット記録方法。
【請求項１０】
請求項６〜９のいずれか一項に記載のインクジェット記録方法において、
前記インクが、紫外線の被照射で硬化するカチオン重合系インクであることを特徴とするインクジェット記録方法。
【発明の詳細な説明】
【技術分野】
【０００１】
本発明は、記録ヘッド中のインクの温度を加熱制御するインクジェット記録装置及びインクジェット記録方法に関する。
【背景技術】
【０００２】
ワードプロセッサ，パーソナルコンピュータ等に接続される記録端末として、インクジェット記録装置，レーザ記録装置，熱転写式記録装置等の種々の記録装置が開発されている。中でも、インクジェット記録装置は、他の記録装置に比べて記録時の音が静かであり、色彩豊かな記録を容易かつ安価におこなえる等の利点を有するため、記録装置の主流となっている。
【０００３】
ところで、紫外線硬化型インク等の高粘度のインクを使用するインクジェット記録装置においては、インクの粘度の変化が直ちに画像の乱れとして現れるため、インクを吐出する記録ヘッド中で吐出前のインクを設定温度に加熱制御して当該インクの粘度の安定化を図っている。しかしながら、画像の記録時においては、記録ヘッド中に内蔵された圧電素子やドライバ（チップ）等がインクの吐出動作に同期して発熱して、記録ヘッド中のインクの温度が設定温度を大幅に上回る所謂「オーバーシュート」という現象が生じ、その結果、インクの粘度が変動してインクの吐出速度や吐出量が変動し、画質を一定に維持するのが困難となっている。
【０００４】
そこで、特許文献１に記載の記録装置では、インクを加熱するヒータと当該ヒータの熱を放熱させるファンとが配され、記録比率（記録デューティ）を計算してその値に応じヒータ及びファンの各駆動タイミングを制御し、上記オーバーシュートを防止している（段落番号００２０参照）。
【特許文献１】特開平５−３８８１５号公報
【発明の開示】
【発明が解決しようとする課題】
【０００５】
しかしながら、特許文献１に記載の記録装置は、記録しようとする画像のデータに応じて予測制御をおこなうものであり、オーバーシュートを防止するために複雑な制御構成を有している。
本発明の目的は、簡単な制御構成でオーバーシュートを防止することである。
【課題を解決するための手段】
【０００６】
上記課題を解決するため請求項１に記載の発明のインクジェット記録装置は、
インクを吐出して記録媒体に画像を記録する記録ヘッドと、
電力の供給を受けて発熱して前記記録ヘッド中のインクを加熱するヒータと、
前記記録ヘッドがインクを吐出しない待機中又は非記録中の各時間帯で、前記記録ヘッド中のインクの温度を設定温度に維持するための所定電力を前記ヒータに供給し、前記待機中又は非記録中の各時間帯から前記記録ヘッドがインクを吐出する記録中の時間帯に移行する直前で、前記所定電力より低い電力を前記ヒータに供給する制御装置と、
を備えることを特徴としている。
【０００７】
請求項３に記載の発明のインクジェット記録装置は、
インクを吐出して記録媒体に画像を記録する記録ヘッドと、
電力の供給を受けて発熱して前記記録ヘッド中のインクを加熱するヒータと、
前記記録ヘッドがインクを吐出しない待機中又は非記録中の各時間帯で、前記記録ヘッド中のインクの温度を設定温度に維持するための所定電力を前記ヒータに供給し、前記待機中又は非記録中の各時間帯から前記記録ヘッドがインクを吐出する記録中の時間帯に移行する直前で、前記所定電力の供給を停止して前記ヒータには電力を供給しない制御装置と、
を備えることを特徴としている。
【０００８】
請求項６に記載の発明は、
インクを吐出して記録媒体に画像を記録する記録ヘッドと、電力の供給を受けて発熱して前記記録ヘッド中のインクを加熱するヒータとを、用いて前記記録ヘッド中のインクの温度を設定温度に維持するインクジェット記録方法であって、
前記記録ヘッドがインクを吐出しない待機中又は非記録中の各時間帯で、前記記録ヘッド中のインクの温度を設定温度に維持するための所定電力を前記ヒータに供給し、前記待機中又は非記録中の各時間帯から前記記録ヘッドがインクを吐出する記録中の時間帯に移行する直前で、前記所定電力より低い電力を前記ヒータに供給することを特徴としている。
【０００９】
請求項８に記載の発明は、
インクを吐出して記録媒体に画像を記録する記録ヘッドと、電力の供給を受けて発熱して前記記録ヘッド中のインクを加熱するヒータとを、用いて前記記録ヘッド中のインクの温度を設定温度に維持するインクジェット記録方法であって、
前記記録ヘッドがインクを吐出しない待機中又は非記録中の各時間帯で、前記記録ヘッド中のインクの温度を設定温度に維持するための所定電力を前記ヒータに供給し、前記待機中又は非記録中の各時間帯から前記記録ヘッドがインクを吐出する記録中の時間帯に移行する直前で、前記所定電力の供給を停止して前記ヒータには電力を供給しないことを特徴としている。
【００１０】
請求項１，６に記載の発明においては、
前記制御装置が、
前記記録中の時間帯で、前記所定電力より低い電力を変動させずに前記ヒータに供給し続けてもよい。
【００１１】
請求項３，８に記載の発明においては、
前記制御装置が、
前記記録中の時間帯で、前記ヒータへの前記所定電力の供給を停止し続けてもよい。
【００１２】
請求項１〜４，６〜９のいずれか一項に記載の発明においては、
前記インクが、紫外線の被照射で硬化するカチオン重合系インクであるのが好ましい。
【発明の効果】
【００１３】
請求項１，６に記載の発明では、待機中又は非記録中の各時間帯から記録中の時間帯に移行する直前において、それまでヒータに供給していた所低電力をそれより低い電力に切り替えるという簡単な制御構成で、記録ヘッドに内蔵された圧電素子やドライバ（チップ）等の発熱（一時的な温度上昇）を単なる電力の切り替えで相殺することができ、その結果、画像の記録時のオーバーシュートを防止することができる。
【００１４】
請求項３，８に記載の発明では、待機中又は非記録中の各時間帯から記録中の時間帯に移行する直前において、それまでヒータに所定電力を供給していたのを停止して当該ヒータには電力を供給しないという簡単な制御構成で、記録ヘッドに内蔵された圧電素子やドライバ（チップ）等の発熱（一時的な温度上昇）を単なる電力の供給の停止で相殺することができ、その結果、画像の記録時のオーバーシュートを防止することができる。
【発明を実施するための最良の形態】
【００１５】
以下、図面を参照しながら本発明を実施するための最良の形態について説明する。ただし、以下に述べる実施形態には、本発明を実施するために技術的に好ましい種々の限定が付されているが、これらの事項は発明の範囲を以下の実施形態及び図示例に限定するものではない。
【００１６】
図１は本発明に係るインクジェット記録装置１の概略構成を示す平面図である。
図１に示す通り、インクジェット記録装置１は記録媒体２を支持するプラテン３を有している。プラテン３の後方には長尺な記録媒体２を巻回した元巻きローラ４が配されている。プラテン３の後方部には記録媒体２を図１中後方から前方に搬送する搬送ローラ５が配されている。搬送ローラ５にはギア等の動力伝達手段を介して搬送用モータ６（図２参照）が接続されており、搬送モータ６が作動すると、記録媒体２が元巻きローラ４から繰り出されるようにプラテン３に支持されながら図１中後方から前方に向かう方向（以下「搬送方向Ａ」という。）に搬送されるようになっている。
【００１７】
プラテン３の上方（図１紙面の表側）には図１中左右方向に延在するガイド部材７が配されている。ガイド部材７にはキャリッジ８が支持されている。キャリッジ８にはベルト等の動力伝達手段を介して走査用モータ９（図２参照）が接続されており、走査用モータ９が作動すると、キャリッジ８がガイド部材７にガイドされながら図１中左方から右方に又は右方から左方に向かう方向（以下「走査方向Ｂ」という。）にプラテン３の記録媒体３上を走査するようになっている。
【００１８】
キャリッジ８には、イエロー（Ｙ），マゼンタ（Ｍ），Ｃ（シアン），Ｋ（ブラック）の各プロセスカラーのインクを記録媒体２に吐出する４つの記録ヘッド１１〜１４が配されている。各記録ヘッド１１〜１４には、記録ヘッド１１〜１４中のインクの温度を検知するサーミスタ等の温度センサ１１ａ〜１４ａと、記録ヘッド１１〜１４中のインクを加熱するヒータ１１ｂ〜１４ｂとが、配されている。各ヒータ１１ｂ〜１４ｂは電圧の印加を受けて発熱する電気式ヒータである。その他に、各記録ヘッド１１〜１４には、当該記録ヘッド１１〜１４からインクを滴として吐出させるピエゾ素子等のアクチュエータ１１ｃ〜１４ｃ及びそのドライバ１１ｄ〜１４ｄ（チップ）とが、配されている。
【００１９】
なお、温度センサ１１ａ〜１４ａ、ヒータ１１ｂ〜１４ｂ、アクチュエータ１１ｃ〜１４ｃ及びドライバ１１ｄ〜１４ｄはそれら各語尾の数字部分が記録ヘッド１１〜１４に対応しており、例えば、記録ヘッド１１には温度センサ１１ａ、ヒータ１１ｂ、アクチュエータ１１ｃ及びドライバ１１ｄが１つずつ配されている。
【００２０】
更に、キャリッジ８には、記録媒体２に着弾したインクに紫外線を照射して当該インクを硬化させる２つの光照射装置１５，１６が配されている。各光照射装置１５，１６は記録ヘッド１１〜１４の左右両隣に１つずつ配置されている。
【００２１】
次に、「インク」について説明する。
本実施形態に用いられるインクとしては、特に、「光硬化技術−樹脂・開始剤の選定と配合条件及び硬化度の測定・評価−（技術協会情報）」に記載の「光硬化システム（第４章）」の「光酸・塩基発生剤を利用する硬化システム（第１節）」、「光誘導型交互共重合（第２節）」等に適合するインクが適用可能であり、通常のラジカル重合により硬化するものであってもよい。
【００２２】
具体的に、本実施形態に用いられるインクは、光としての紫外線の被照射により硬化する性質を具備する光硬化型インクであって、主成分として、重合性化合物（公知の重合性化合物を含む。）と、光開始剤と、色材とを少なくとも含むものであり、紫外線の被照射によりモノマー化合物がポリマー化合物に転化して硬化するものである。ただし、本実施形態に用いるインクとして、上記「光誘導型交互共重合（第２節）」に適合するインクを用いる場合には光開始剤は除外されてもよい。
【００２３】
上記光硬化型インクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。
【００２４】
次に、「記録媒体２」について説明する。
本実施形態に用いられる記録媒体２としては、通常のインクジェット記録装置に適用される普通紙，再生紙，光沢紙等の各種記録紙，各種布地，各種不織布，樹脂，金属，ガラス等の材質からなる記録媒体が適用可能である。記録媒体２の形態としては、ロール状、カットシート状、板状等が適用可能である。本実施形態では、記録媒体２はロール状に巻かれた長尺でかつ透明な樹脂フィルムとなっている。
【００２５】
次に、インクジェット記録装置１の回路構成を説明する。
図２はインクジェット記録装置１の概略回路構成を示すブロック図である。
図２に示す通り、インクジェット記録装置１は上記した部材の各部位を制御する制御装置２０を内蔵している。制御装置２０は汎用のＣＰＵ（Central Processing Unit），ＲＯＭ（Read Only Memory），ＲＡＭ（Random Access Memory）等から構成された制御部２１を有している。制御部２１は、ＣＰＵがＲＯＭに記録済みの処理プログラムをＲＡＭに展開しながら当該処理プログラムを実行してインクジェット記録装置１の各部位を制御するようになっている。
【００２６】
制御部２１には搬送用モータ６、走査用モータ９及び２つの光照射装置１５，１６が接続されており、制御部２１が搬送用モータ６及び走査用モータ９の作動とその停止や各光源１５，１６の点灯と消灯とを制御するようになっている。
【００２７】
制御部２１にはＡ／Ｄ変換器２２及びヒータドライバ２３を介して各温度センサ１１ａ〜１４ａ及び各ヒータ１１ｂ〜１４ｂが接続されており、制御部２１が、各温度センサ１１ａ〜１４ａの検知結果から記録ヘッド１１〜１４中のインクの温度を検出するとともに、各温度センサ１１ａ〜１４ａの検知結果に基づき各ヒータ１１ｂ〜１４ｂの作動とその停止とを制御するようになっている。
【００２８】
更に制御装置２０は、ホストコンピュータ３０とのデータや信号の通信を可能とするインターフェース２４と、ホストコンピュータ３０から転送された画像データをＹ，Ｍ，Ｃ，Ｋの色ごとに画像処理するＦＰＧＡ（Field Programmable Gate Array）等で構成された画像処理部２５と、各記録ヘッド１１〜１４のドライバ１１ｄ〜１４ｄを介してアクチュエータ１１ｃ〜１４ｃを駆動させるヘッド駆動部２６とを、有している。画像処理部２５及びヘッド駆動部２６は制御部２１に接続されており、制御部２１が画像処理部２５及びヘッド駆動部２６を制御するようになっている。
【００２９】
次に、インクジェット記録装置１の動作・作用と併せて、本発明に係るインクジェット記録方法について説明する。
【００３０】
記録媒体２への画像の記録に際し、記録媒体２に記録しようとする画像の「画像データ」がホストコンピュータ３０から画像処理部２５に入力された状態において、制御部２１が、搬送用モータ６、走査用モータ９、各光照射装置１５，１６、画像処理部２５、ヘッド駆動部２６等に対し所定の制御信号をそれぞれ送信して搬送ローラ５、キャリッジ８、各光照射装置１５，１６、各記録ヘッド１１〜１４等を適宜作動させる。
【００３１】
これにより、搬送ローラ５が所定量の回転と停止とを繰り返し、記録媒体２がプラテン３に支持されながら間欠的に搬送方向Ａに沿って搬送され、搬送ローラ５が停止するごとに、キャリッジ８が図１中右方の折り返し位置と左方の折り返し位置との間で記録媒体２の直上を走査方向Ｂに沿って往復移動する。
【００３２】
この状態において、画像処理部２５が制御部２１から制御信号を受信して画像データを画像処理し、ヘッド駆動部２６が制御部２１から制御信号を受信して画像処理後の画像データに基づき各記録ヘッド１１〜１４のアクチュエータ１１ｃ〜１４ｃを駆動させる。
【００３３】
そしてキャリッジ８が記録媒体２の記録領域上を移動している最中に、各アクチュエータ１１ｃ〜１４ｃが作動して各記録ヘッド１１〜１４が記録媒体２の記録領域（図１中、記録媒体２上の点線の内側部分参照）に向けてインクを滴として吐出し、かつ、２つの光源１５，１６の両方が点灯し、記録媒体２の記録領域に着弾したインクが各光源１５，１６の光を受けて硬化する。
【００３４】
以後、インクジェットプリンタ１が上記の各動作を繰り返しおこない、ホストコンピュータ３０から入力された画像データに基づく所定の画像を記録媒体２の記録領域に記録する。
なお、インクジェットプリンタ１では図１中右方の折り返し位置よりやや右方に待機位置（ホームポジション，図示略）が設けられており、上記の画像の記録動作の前後において、キャリッジ８は当該待機位置で待機しているようになっている。
【００３５】
ここで、画像の記録動作に際し、インクジェットプリンタ１は記録ヘッド１１〜１４中のインクの温度を一定（設定温度）に保つため、本発明に係るインクジェット記録方法として、制御部２１が下記（１）〜（４）のいずれか一の加熱制御態様で各ヒータ１１ｂ〜１４ｂの作動（発熱動作）を制御している。
【００３６】
以下、図３〜図６を参照しながら各加熱制御態様について具体的に説明する。
図３〜図６は、各ヒータ１１ｂ〜１４ｂに印加した電圧と、その電圧を印加したときの各記録ヘッド１１〜１４中のインクの温度（各温度センサ１１ａ〜１４ａが検知した温度）の変動と、の関係を示すタイミングチャートである。ただし、図３〜図６に示す関係では、各記録ヘッド１１〜１４中のインクの温度を設定温度として５５℃に維持しようとしたものである。
【００３７】
図３〜図６中、「待機中」とは、制御部２１が画像の記録動作の開始に際してキャリッジ８を待機位置で待機させている時間帯を示し、「記録中」とは、制御部２１がキャリッジ８を記録媒体２の記録領域上で走査させてその走査中に各記録ヘッド１１〜１４からインクを吐出させている時間帯を示し、「非記録中」とは、制御部２１がキャリッジ８を記録媒体２の非記録領域上に存在させているか、又はキャリッジ８を図１中右方若しくは左方の折り返し位置で走査方向Ｂを反転させている時間帯を示している。
【００３８】
（１）第１の加熱制御態様（図３参照）
図３に示す通り、「待機中」の時間帯においては、制御部２１が各ヒータ１１ｂ〜１４ｂに対して上限１２Ｖの電圧を印加し続け、各記録ヘッド１１〜１４中のインクの温度を設定温度の５５℃に電圧比例制御する。
【００３９】
「待機中」の時間帯から「記録中」の時間帯に移行する時間帯においては、その移行の直前で、制御部２１が各ヒータ１１ｂ〜１４ｂに対して待機中に印加した電圧より低い５Ｖの電圧を印加する。
【００４０】
「記録中」の時間帯においては、原則、制御部２１が「記録中」の時間帯への移行直前で印加した電圧を各ヒータ１１ｂ〜１４ｂに印加し続ける。この状態において、各温度センサ１１ａ〜１４ａが設定温度より低い所定温度（例えば５２℃）を検知した場合に、制御部２１が各ヒータ１１ｂ〜１４ｂに対して「待機中」と同様の上限１２Ｖの電圧を所定時間印加し、各記録ヘッド１１〜１４中のインクの温度を設定温度まで上昇させる。
【００４１】
「記録中」の時間帯から「非記録中」の時間帯に移行する時間帯においては、その移行直後に、制御部２１が各ヒータ１１ｂ〜１４ｂに対して「待機中」と同様の上限１２Ｖの電圧を印加し、「非記録中」の時間帯中、その電圧を各ヒータ１１ｂ〜１４ｂに対してそのまま印加し続ける。
【００４２】
「非記録中」の時間帯から「記録中」の時間帯に移行する時間帯においては、その移行直前で、制御部２１が各ヒータ１１ｂ〜１４ｂに対して非記録中に印加した電圧より低い５Ｖの電圧を印加する。
【００４３】
以後、制御部２１が上記「記録中」及び「非記録中」の各時間帯におこなった電圧制御を繰り返す。
なお、記録媒体２の記録領域への画像の記録動作が終了して「記録中」の時間帯から「待機中」の時間帯に移行する場合には、その移行直後から、制御部２１が各ヒータ１１ｂ〜１４ｂに対して上限１２Ｖの電圧を印加し続け、その次の画像の記録動作に備えて各記録ヘッド１１〜１４中のインクの温度を５５℃の設定温度に電圧比例制御する。
【００４４】
（２）第２の加熱制御態様（図４参照）
第２の加熱制御態様では、図４に示す通り、制御部２１が、「記録中」の時間帯以外の時間帯において上記第１の加熱制御態様と同様の処理をおこない、「記録中」の時間帯において「待機中」の時間帯から「記録中」の時間帯への移行直前で印加した電圧をそのまま変動させずに各ヒータ１１ｂ〜１４ｂに印加し続ける。
【００４５】
以上の第１，第２の各加熱制御態様では、「待機中」又は「非記録中」の各時間帯から「記録中」の時間帯に移行する直前において、それまで各ヒータ１１ｂ〜１４ｂに印加していた電圧をそれより低い電圧に切り替えるという簡単な制御構成で、各記録ヘッド１１〜１４に内蔵されたアクチュエータ１１ｃ〜１４ｃやドライバ１１ｄ〜１４ｄ等の発熱（一時的な温度上昇）を単なる電圧の切り替えで相殺することができ、その結果、図３及び図４に示す通り「記録中」の時間帯においてオーバーシュートを防止することができる。
【００４６】
特に、第２の加熱制御態様では、「記録中」の時間帯において各ヒータ１１ｂ〜１４ｂに印加する電圧を変更しないため、各ヒータ１１ｂ〜１４ｂのＯＮ／ＯＦＦ時のノイズの発生や電源電圧の変動による各アクチュエータ１１ｃ〜１４ｃの誤作動を防止することができ、ひいては画質が劣化するのを未然に防止することができる。更に、第２の加熱制御態様では、「記録中」の時間帯において「待機中」及び「非記録中」の各時間帯より各ヒータ１１ｂ〜１４ｂに印加する電圧を低く抑えているため、「記録中」の時間帯においては、画像の記録動作に伴う供給用電力や配線抵抗による電力損失等を節減・抑制することができる。
【００４７】
（３）第３の加熱制御態様（図５参照）
図５に示す通り、「待機中」の時間帯においては、制御部２１が各ヒータ１１ｂ〜１４ｂに対して１２Ｖの電圧を印加し続け、各記録ヘッド１１〜１４中のインクの温度を設定温度の５５℃にＰＷＭ（Pulse Width Modulation）制御する。
【００４８】
「待機中」の時間帯から「記録中」の時間帯に移行する時間帯においては、その移行の直前で、制御部２１が各ヒータ１１ｂ〜１４ｂに対する電圧の印加を停止する。
【００４９】
「記録中」の時間帯においては、原則、制御部２１が「記録中」の時間帯への移行直前で停止した電圧の印加をそのまま停止し続ける。この状態において、各温度センサ１１ａ〜１４ａが設定温度より低い所定温度（例えば５２℃）を検知した場合に、制御部２１が各ヒータ１１ｂ〜１４ｂに対して「待機中」と同様の１２Ｖの電圧を所定時間印加し、各記録ヘッド１１〜１４中のインクの温度を設定温度まで上昇させる。
【００５０】
「記録中」の時間帯から「非記録中」の時間帯に移行する時間帯においては、その移行直後に、制御部２１が各ヒータ１１ｂ〜１４ｂに対して「待機中」と同様の１２Ｖの電圧を印加し、「非記録中」の時間帯中、その電圧を各ヒータ１１ｂ〜１４ｂに対してそのまま印加し続ける。
【００５１】
「非記録中」の時間帯から「記録中」の時間帯に移行する時間帯においては、その移行直前で、制御部２１が各ヒータ１１ｂ〜１４ｂに対する電圧の印加を停止する。
【００５２】
以後、制御部２１が上記「記録中」及び「非記録中」の各時間帯におこなったＰＷＭ制御を繰り返す。
なお、記録媒体２の記録領域への画像の記録動作が終了して「記録中」の時間帯から「待機中」の時間帯に移行する場合には、その移行直後から、制御部２１が各ヒータ１１ｂ〜１４ｂに対して１２Ｖの電圧を印加し続け、その次の画像の記録動作に備えて各記録ヘッド１１〜１４中のインクの温度を５５℃の設定温度にＰＷＭ制御する。
【００５３】
（４）第４の加熱制御態様（図６参照）
第４の加熱制御態様では、図６に示す通り、制御部２１が、「記録中」の時間帯以外の時間帯において上記第３の加熱制御態様と同様の処理をおこない、「記録中」の時間帯において「待機中」の時間帯から「記録中」の時間帯への移行直前で停止した電圧の印加をそのまま停止し続ける。
【００５４】
以上の第３，第４の各加熱制御態様では、「待機中」又は「非記録中」の各時間帯から「記録中」の時間帯に移行する直前において、それまで各ヒータ１１ｂ〜１４ｂに電圧を印加していたのを停止して各ヒータ１１ｂ〜１４ｂには電圧を印加しないという簡単な制御構成で、各記録ヘッド１１〜１４に内蔵されたアクチュエータ１１ｃ〜１４ｃやドライバ１１ｄ〜１４ｄ等の発熱（一時的な温度上昇）を単なる電圧の印加の停止で相殺することができ、その結果、図５及び図６に示す通り「記録中」の時間帯においてオーバーシュートを防止することができる。
【００５５】
特に、第４の加熱制御態様では、「記録中」の時間帯において各ヒータ１１ｂ〜１４ｂに電圧を印加しないため、各ヒータ１１ｂ〜１４ｂのＯＮ／ＯＦＦ時のノイズの発生や電源電圧の変動による各アクチュエータ１１ｃ〜１４ｃの誤作動を防止することができ、ひいては画質が劣化するのを未然に防止することができる。更に、第４の加熱制御態様では、「記録中」の時間帯において各ヒータ１１ｂ〜１４ｂに電圧を印加しないため、「記録中」の時間帯においては、画像の記録動作に伴う供給用電力や配線抵抗による電力損失等を節減・抑制することができる。
【図面の簡単な説明】
【００５６】
【図１】インクジェット記録装置１の概略構成を示す平面図である。
【図２】インクジェット記録装置１の回路構成を示すブロック図である。
【図３】第１の加熱制御態様の一例を示すタイミングチャートである。
【図４】第２の加熱制御態様の一例を示すタイミングチャートである。
【図５】第３の加熱制御態様の一例を示すタイミングチャートである。
【図６】第４の加熱制御態様の一例を示すタイミングチャートである。
【符号の説明】
【００５７】
１  インクジェット記録装置
２  記録媒体
１１〜１４  記録ヘッド
１１ａ〜１４ａ  温度センサ
１１ｂ〜１４ｂ  ヒータ
１１ｃ〜１４ｃ  アクチュエータ
１１ｄ〜１４ｄ  ドライバ
２０  制御装置
【図１】
2006150650.tif 000003
【図２】
2006150650.tif 000004
【図３】
2006150650.tif 000005
【図４】
2006150650.tif 000006
【図５】
2006150650.tif 000007
【図６】
2006150650.tif 000008